(57)【要約】【課題】被検出体の外径および厚みが同じであっても、被検出体の金属部に貫通孔が形成されているのか否かを適切に識別することが可能なコイン状被検出体識別装置を提供する。【解決手段】このコイン状被検出体識別装置は、通過路５を通過する被検出体の厚み方向の一方側に配置される第１コア１２と、被検出体の厚み方向の他方側に配置される第２コア１３とを備えており、第２コア１３には、検出用コイル１０が巻回される検出側凸部１３ｃが形成されている。検出側凸部１３ｃの幅は、被検出体の金属部の外径よりも小さくなっている。検出用コイル１０が接続される制御部は、検出用コイル１０の出力に基づいて生成されるコイル出力信号の、ピーク値を除いた所定の箇所の信号レベルに基づいて、金属部に貫通孔が形成されているのか否かを識別する。【選択図】図２
2015217198.tif 000002
【特許請求の範囲】
【請求項１】
外径および厚みが略同じでかつ材質が同じ金属製の金属部を有するコイン状の被検出体の前記金属部に貫通孔が形成されているのか否かを識別するコイン状被検出体識別装置であって、
前記被検出体が通過する通過路が内部に形成されるとともに、励磁用コイルおよび検出用コイルと、前記通過路を通過する前記被検出体の厚み方向の一方側に配置され前記励磁用コイルが巻回される第１コアと、前記通過路を通過する前記被検出体の厚み方向の他方側に配置され前記検出用コイルが巻回される第２コアと、前記検出用コイルが接続される制御部とを備え、
前記第２コアには、前記第１コアに向かって突出する検出側凸部が形成され、
前記通過路を通過する前記被検出体の通過方向と前記被検出体の厚み方向とに直交する方向を直交方向とすると、前記直交方向における前記検出側凸部の幅は、前記金属部の外径よりも小さくなっており、
前記検出用コイルの出力に基づいて生成されるとともに前記通過路を前記被検出体が通過するとその信号レベルが高くなるアナログ状のコイル出力信号が前記制御部に入力される場合には、前記制御部は、前記コイル出力信号の、ピーク値を除いた所定の箇所の信号レベルに基づいて、前記金属部に前記貫通孔が形成されているのか否かを識別し、
前記検出用コイルの出力に基づいて生成されるとともに前記通過路を前記被検出体が通過するとその信号レベルが低くなるアナログ状のコイル出力信号が前記制御部に入力される場合には、前記制御部は、前記コイル出力信号の、ボトム値を除いた所定の箇所の信号レベルに基づいて、前記金属部に前記貫通孔が形成されているのか否かを識別することを特徴とするコイン状被検出体識別装置。
【請求項２】
前記制御部に接続される第２検出用コイルを備え、
前記検出用コイルは、前記検出側凸部に巻回され、
前記第２コアには、前記直交方向における前記検出側凸部の両側に配置され前記第２検出用コイルが巻回される２個の第２検出側凸部を備え、
前記直交方向の一方を第１方向とし、前記直交方向の他方を第２方向とすると、
前記検出側凸部よりも前記第１方向側に配置される前記第２検出側凸部の前記第１方向側の端面と、前記検出側凸部よりも前記第２方向側に配置される前記第２検出側凸部の前記第２方向側の端面との前記直交方向における距離は、前記金属部の外径よりも大きくなっており、
前記制御部は、前記第２検出用コイルの出力に基づいて生成されるアナログ状の第２コイル出力信号の信号レベルが所定の値となったときの、前記コイル出力信号の信号レベルに基づいて、前記金属部に前記貫通孔が形成されているのか否かを識別することを特徴とする請求項１記載のコイン状被検出体識別装置。
【請求項３】
前記制御部は、前記コイル出力信号の複数の箇所の信号レベルに基づいて、前記金属部に前記貫通孔が形成されているのか否かを識別することを特徴とする請求項１または２記載のコイン状被検出体識別装置。
【請求項４】
前記制御部は、前記コイル出力信号の前記ピーク値が一定の基準ピーク値になるように、または、前記コイル出力信号の前記ボトム値が一定の基準ボトム値になるように、前記通過路を前記被検出体が通過したときの前記コイル出力信号の信号レベルを補正することを特徴とする請求項１から３のいずれかに記載のコイン状被検出体識別装置。
【請求項５】
前記検出側凸部は、前記直交方向における前記通過路のどの位置を前記被検出体が通過しても、前記被検出体の厚み方向から見たときに、前記検出側凸部の全体が前記金属部と重なるように配置されていることを特徴とする請求項１から４のいずれかに記載のコイン状被検出体識別装置。
【請求項６】
前記第１方向における前記第１コアの端部と前記第２コアの端部とを繋ぐ第１連結コアと、前記第２方向における前記第１コアの端部と前記第２コアの端部とを繋ぐ第２連結コアと、前記第１コアと、前記第２コアとから構成される環状の環状コアを備えることを特徴とする請求項１から５のいずれかに記載のコイン状被検出体識別装置。
【請求項７】
前記第１コアには、前記直交方向において前記検出側凸部と同じ位置に配置される第１励磁側凸部と、前記直交方向において前記第２検出側凸部と同じ位置に配置される２個の第２励磁側凸部とが形成され、
前記第１励磁側凸部よりも前記第１方向側に配置される前記第２励磁側凸部の前記第１方向側の端面と、前記第１励磁側凸部よりも前記第２方向側に配置される前記第２励磁側凸部の前記第２方向側の端面との前記直交方向における距離は、前記金属部の外径よりも大きくなっていることを特徴とする請求項２記載のコイン状被検出体識別装置。
【発明の詳細な説明】
【技術分野】
【０００１】
本発明は、外径および厚みが略同じでかつ材質が同じ金属製の金属部を有するコイン状の被検出体の金属部に貫通孔が形成されているのか否かを識別するためのコイン状被検出体識別装置に関する。
【背景技術】
【０００２】
従来、スロットマシンで使用されるメダルセレクタが知られている（たとえば、特許文献１参照）。特許文献１に記載のメダルセレクタは、メダル投入口から投入されたメダルを選別するための装置であり、サイズの小さい不正なメダルをメダル受皿に排出するとともに、正規のメダルをメダルタンクに送り出している。このメダルセレクタには、メダル投入口から投入されたメダルが通過するメダル通路が形成されており、このメダルセレクタでは、このメダル通路を用いてメダルを選別している。
【先行技術文献】
【特許文献】
【０００３】
【特許文献１】特開２００９−７２３００号公報
【発明の概要】
【発明が解決しようとする課題】
【０００４】
近年、スロットマシンで使用されるメダルは多様化しており、スロットマシンの中には、中心に貫通孔が形成された金属製のメダルが正規のメダル（真のメダル）として使用されるものもある。また、スロットマシンの中には、中心に貫通孔が形成された円板状の金属部と金属部の貫通孔を埋める樹脂部とから構成されるメダルが正規のメダルとして使用されるものもある。
【０００５】
特許文献１に記載のメダルセレクタでは、メダル通路を用いてメダルを選別しているため、メダルの外径および厚みが同じであれば、スロットマシンに投入されたメダルに貫通孔が形成されているのか否かを識別することはできない。また、特許文献１に記載のメダルセレクタでは、メダルの外径および厚みが同じであれば、スロットマシンに投入されたメダルが、中心に貫通孔が形成された円板状の金属部と金属部の貫通孔を埋める樹脂部とから構成されるメダルであるのか否かを識別することはできない。
【０００６】
そこで、本発明の課題は、外径および厚みが略同じでかつ材質が同じ金属製の金属部を有するコイン状の被検出体の金属部に貫通孔が形成されているのか否かを識別するコイン状被検出体識別装置において、被検出体の外径および厚みが同じであっても、金属部に貫通孔が形成されているのか否かを適切に識別することが可能なコイン状被検出体識別装置を提供することにある。
【課題を解決するための手段】
【０００７】
上記の課題を解決するため、本発明のコイン状被検出体識別装置は、外径および厚みが略同じでかつ材質が同じ金属製の金属部を有するコイン状の被検出体の金属部に貫通孔が形成されているのか否かを識別するコイン状被検出体識別装置であって、被検出体が通過する通過路が内部に形成されるとともに、励磁用コイルおよび検出用コイルと、通過路を通過する被検出体の厚み方向の一方側に配置され励磁用コイルが巻回される第１コアと、通過路を通過する被検出体の厚み方向の他方側に配置され検出用コイルが巻回される第２コアと、検出用コイルが接続される制御部とを備え、第２コアには、第１コアに向かって突出する検出側凸部が形成され、通過路を通過する被検出体の通過方向と被検出体の厚み方向とに直交する方向を直交方向とすると、直交方向における検出側凸部の幅は、金属部の外径よりも小さくなっており、検出用コイルの出力に基づいて生成されるとともに通過路を被検出体が通過するとその信号レベルが高くなるアナログ状のコイル出力信号が制御部に入力される場合には、制御部は、コイル出力信号の、ピーク値を除いた所定の箇所の信号レベルに基づいて、金属部に貫通孔が形成されているのか否かを識別し、検出用コイルの出力に基づいて生成されるとともに通過路を被検出体が通過するとその信号レベルが低くなるアナログ状のコイル出力信号が制御部に入力される場合には、制御部は、コイル出力信号の、ボトム値を除いた所定の箇所の信号レベルに基づいて、金属部に貫通孔が形成されているのか否かを識別することを特徴とする。
【０００８】
本発明のコイン状被検出体識別装置では、通過路を通過する被検出体の通過方向と被検出体の厚み方向とに直交する直交方向における検出側凸部の幅が金属部の外径よりも小さくなっている。そのため、本願発明者の検討によると、被検出体の外径および厚みが同じであっても、また、金属部の外径および厚みが略同じでかつ金属部の材質が同じであっても、金属部に貫通孔が形成されている場合と金属部に貫通孔が形成されていない場合とで、通過路を被検出体が通過したときのコイル出力信号の波形が相違することがわかった。具体的には、金属部に貫通孔が形成されているのか否かにかかわらず、通過路を被検出体が通過したときのコイル出力信号のピーク値やボトム値はほぼ同じになるが、金属部に貫通孔が形成されている場合には、金属部に貫通孔が形成されていない場合と比較して、通過路を被検出体が通過し始めた後、コイル出力信号の信号レベルが早い段階から上昇または下降し始めるとともに、その後、コイル出力信号の信号レベルが、比較的長い間、ピーク値またはボトム値に近い値を維持することがわかった。
【０００９】
また、本発明では、通過路を被検出体が通過するとその信号レベルが高くなるコイル出力信号が制御部に入力される場合に、制御部は、コイル出力信号の、ピーク値を除いた所定の箇所の信号レベルに基づいて、金属部に貫通孔が形成されているのか否かを識別し、通過路を被検出体が通過するとその信号レベルが低くなるコイル出力信号が制御部に入力される場合に、制御部は、コイル出力信号の、ボトム値を除いた所定の箇所の信号レベルに基づいて、金属部に貫通孔が形成されているのか否かを識別している。すなわち、本発明では、外径および厚みが略同じでかつ材質が同じ金属部に貫通孔が形成されているのか否かによって信号レベルが異なる、コイル出力信号の所定の箇所の信号レベルに基づいて、金属部に貫通孔が形成されているのか否かを識別している。したがって、本発明では、被検出体の外径および厚みが同じであっても、被検出体の金属部に貫通孔が形成されているのか否かを適切に識別することが可能になる。
【００１０】
本発明において、コイン状被検出体識別装置は、制御部に接続される第２検出用コイルを備え、検出用コイルは、検出側凸部に巻回され、第２コアには、直交方向における検出側凸部の両側に配置され第２検出用コイルが巻回される２個の第２検出側凸部を備え、直交方向の一方を第１方向とし、直交方向の他方を第２方向とすると、検出側凸部よりも第１方向側に配置される第２検出側凸部の第１方向側の端面と、検出側凸部よりも第２方向側に配置される第２検出側凸部の第２方向側の端面との直交方向における距離は、金属部の外径よりも大きくなっており、制御部は、第２検出用コイルの出力に基づいて生成されるアナログ状の第２コイル出力信号の信号レベルが所定の値となったときの、コイル出力信号の信号レベルに基づいて、金属部に貫通孔が形成されているのか否かを識別することが好ましい。本願発明者の検討によれば、このように構成すると、金属部に貫通孔が形成されている場合の、通過路を被検出体が通過したときの第２コイル出力信号の波形と、金属部に貫通孔が形成されていない場合の、通過路を被検出体が通過したときの波形とをほぼ一致させることが可能であることがわかった。したがって、このように構成すると、通過路を通過する被検出体の通過速度が変動する場合等であっても、コイル出力信号の一定箇所の信号レベルに基づいて、金属部に貫通孔が形成されているのか否かを識別することが可能になる。その結果、通過路を通過する被検出体の通過速度が変動する場合等であっても、金属部に貫通孔が形成されているのか否かを適切に識別することが可能になる。
【００１１】
本発明において、制御部は、コイル出力信号の複数の箇所の信号レベルに基づいて、金属部に貫通孔が形成されているのか否かを識別することが好ましい。このように構成すると、金属部に貫通孔が形成されているのか否かの識別精度を高めることが可能になる。
【００１２】
本発明において、制御部は、コイル出力信号のピーク値が一定の基準ピーク値になるように、または、コイル出力信号のボトム値が一定の基準ボトム値になるように、通過路を被検出体が通過したときのコイル出力信号の信号レベルを補正することが好ましい。このように構成すると、被検出体の金属部の製造上のばらつきや被検出体の金属部の摩耗等の影響でコイル出力信号のピーク値やボトム値がばらついても、金属部に貫通孔が形成されているのか否かを適切に識別することが可能になる。
【００１３】
本発明において、検出側凸部は、直交方向における通過路のどの位置を被検出体が通過しても、被検出体の厚み方向から見たときに、検出側凸部の全体が金属部と重なるように配置されていることが好ましい。このように構成すると、金属部に貫通孔が形成されている場合と金属部に貫通孔が形成されていない場合とで、通過路を被検出体が通過したときのコイル出力信号の波形の差異を大きくすることが可能になる。したがって、被検出体の金属部に貫通孔が形成されているのか否かをより適切に識別することが可能になる。
【００１４】
本発明において、コイン状被検出体識別装置は、第１方向における第１コアの端部と第２コアの端部とを繋ぐ第１連結コアと、第２方向における第１コアの端部と第２コアの端部とを繋ぐ第２連結コアと、第１コアと、第２コアとから構成される環状の環状コアを備えることが好ましい。このように構成すると、励磁用コイルが発生させる磁束の、環状コアからの漏れを低減することが可能になる。したがって、環状コアに効率の良い磁気回路を形成することが可能になる。また、このように構成すると、環状コアを磁気シールドとして機能させることが可能になり、外部磁界に起因するコイン状被検出体識別装置の識別精度の低下を抑制することが可能になる。
【００１５】
本発明において、第１コアには、直交方向において検出側凸部と同じ位置に配置される第１励磁側凸部と、直交方向において第２検出側凸部と同じ位置に配置される２個の第２励磁側凸部とが形成され、第１励磁側凸部よりも第１方向側に配置される第２励磁側凸部の第１方向側の端面と、第１励磁側凸部よりも第２方向側に配置される第２励磁側凸部の第２方向側の端面との直交方向における距離は、金属部の外径よりも大きくなっていることが好ましい。このように構成すると、第１コアと第２コアとの間に形成される磁路から金属部の一部が外れないように、通過路で被検出体を通過させることが可能になる。したがって、金属部に貫通孔が形成されている場合の、通過路を被検出体が通過したときの第２コイル出力信号の波形と、金属部に貫通孔が形成されていない場合の、通過路を被検出体が通過したときの第２コイル出力信号の波形とをより一致させることが可能になる。
【発明の効果】
【００１６】
以上のように、本発明では、外径および厚みが略同じでかつ材質が同じ金属製の金属部を有するコイン状の被検出体の金属部に貫通孔が形成されているのか否かを識別するコイン状被検出体識別装置において、被検出体の外径および厚みが同じであっても、金属部に貫通孔が形成されているのか否かを適切に識別することが可能になる。
【図面の簡単な説明】
【００１７】
【図１】本発明の実施の形態にかかるコイン状被検出体識別装置の斜視図である。
【図２】図１に示すコイン状被検出体識別装置からケース体を取り外した状態の斜視図である。
【図３】図２に示す状態から励磁用コイル、検出用コイルおよびボビンを取り外した状態の斜視図である。
【図４】図２に示す環状コアの斜視図である。
【図５】図２に示す環状コアの平面図である。
【図６】図１に示すコイン状被検出体識別装置の回路ブロック図である。
【図７】図１に示すコイン状被検出体識別装置の通過路を貫通孔が形成されていない被検出体が通過したときに被検出体に発生する渦電流の状態を説明するための模式図である。
【図８】図１に示すコイン状被検出体識別装置の通過路を貫通孔が形成された被検出体が通過したときに被検出体に発生する渦電流の状態を説明するための模式図である。
【図９】図１に示すコイン状被検出体識別装置の通過路を、真の被検出体の材質と同一でありかつ真の被検出体の外径および厚みと略同一の被検出体であって貫通孔が形成されていない被検出体が通過したときのコイル出力信号の波形の一例を示す図である。
【図１０】図１に示すコイン状被検出体識別装置の通過路を真の被検出体が通過したときのコイル出力信号の波形の一例を示す図である。
【図１１】図９に示すコイル出力信号と図１０に示すコイル出力信号とを重ねた状態を示す図である。
【図１２】図１に示すコイン状被検出体識別装置の通過路を真の被検出体が通過したときのコイル出力信号のばらつきを説明するための図である。
【図１３】本発明の実施の形態にかかるコイン状被検出体識別装置の効果を説明するための図である。
【発明を実施するための形態】
【００１８】
以下、図面を参照しながら、本発明の実施の形態を説明する。
【００１９】
（コイン状被検出体識別装置の概略構成）
図１は、本発明の実施の形態にかかるコイン状被検出体識別装置１の斜視図である。図２は、図１に示すコイン状被検出体識別装置１からケース体３を取り外した状態の斜視図である。
【００２０】
本形態のコイン状被検出体識別装置１は、コイン状の被検出体であるメダル２の真贋の識別、および、真のメダル２の良不良（良品であるのかそれとも不良品であるのか、すなわち、真のメダル２に摩耗や変形等が生じて不良品になっているのか否か）の識別をするための装置であり、スロットマシン（図示省略）に搭載されて使用される。すなわち、本形態のコイン状被検出体識別装置１は、スロットマシンのメダル投入口から投入されたメダル２の真贋等を識別するための装置である。したがって、以下では、本形態のコイン状被検出体識別装置１を「メダル識別装置１」とする。
【００２１】
メダル識別装置１は、図１、図２に示すように、ケース体３と、ケース体３に収容される磁気センサ４とを備えている。また、メダル識別装置１の内部には、メダル２が通過する通過路５が形成されている。メダル２は、円板状に形成されている。本形態では、スロットマシンで使用される真のメダル２（正規のメダル２）の中心には、貫通孔２ａが形成されている。貫通孔２ａは、樹脂で形成された樹脂部２ｂによって埋められている。メダル２の樹脂部２ｂを除いた部分は、金属材料で形成された金属製の金属部２ｃとなっており、金属部２ｃの外形は円形状となっている。なお、貫通孔２ａは、樹脂部２ｂによって埋められていなくても良い。すなわち、メダル２は、貫通孔２ａを有する円環状に形成されても良い。この場合には、メダル２の全体が金属製の金属部２ｃとなる。
【００２２】
ケース体３は、直方体の箱状に形成されている。ケース体３の１つの側面（図１の上面）には、メダル２が通過するスリット状の通過孔３ａが形成されている。通過孔３ａが形成される側面に平行な側面（図１の下面）にも、メダル２が通過する通過孔が形成されている。この通過孔および通過孔３ａは、通過路５に繋がっている。なお、ケース体３には、通過路３ａへメダル２を案内するためのガイド部材（図示省略）が固定されている。
【００２３】
磁気センサ４は、励磁用コイル８および検出用コイル９、１０と、励磁用コイル８および検出用コイル９、１０が巻回される環状コア１１とを備えている。環状コア１１は、磁性材料によって形成されている。たとえば、環状コア１１は、フェライト、アモルファス、パーマロイ等の鉄系の磁性材料によって形成されている。また、環状コア１１は、平板状に形成されている。以下、磁気センサ４の具体的な構成について説明する。
【００２４】
（磁気センサの構成）
図３は、図２に示す状態から励磁用コイル８、検出用コイル９およびボビン２０、２１を取り外した状態の斜視図である。図４は、図２に示す環状コア１１の斜視図である。図５は、図２に示す環状コア１１の平面図である。
【００２５】
以下の説明では、互いに直交する３方向のそれぞれをＸ方向、Ｙ方向およびＺ方向とする。また、Ｘ方向を左右方向、Ｙ方向を前後方向、Ｚ方向を上下方向とする。さらに、Ｘ１方向側を「右」側、Ｘ２方向側を「左」側、Ｙ１方向側を「前」側、Ｙ２方向側を「後（後ろ）」側とする。本形態では、環状コア１１の厚み方向と上下方向とが一致するように、磁気センサ４が配置されている。また、本形態では、メダル２は、環状コア１１の厚み方向で通過路５を通過する。すなわち、上下方向は、通過路５を通過するメダル２の通過方向であり、環状コア１１は、メダル２の通過方向がその厚み方向となるように配置されている。また、前後方向は、通過路５を通過するメダル２の厚み方向である。なお、本形態の左右方向は、メダル２の通過方向とメダル２の厚み方向とに直交する直交方向であり、右方向は、直交方向の一方である第１方向であり、左方向は、直交方向の他方である第２方向である。
【００２６】
上述のように、磁気センサ４は、励磁用コイル８および検出用コイル９、１０と、励磁用コイル８および検出用コイル９、１０が巻回される環状コア１１とを備えている。
【００２７】
環状コア１１は、環状に形成されている。具体的には、環状コア１１は、左右方向に細長い略四角環状に形成されている。この環状コア１１は、環状コア１１の前側部分を構成するとともに左右方向と平行に配置される略直線状の第１コア１２と、環状コア１１の後ろ側部分を構成するとともに第１コア１２と平行に配置される略直線状の第２コア１３と、第１コア１２の右端と第２コア１３の右端とを繋ぐとともに前後方向と平行に配置される直線状の第１連結コア１４と、第１コア１２の左端と第２コア１３の左端とを繋ぐとともに第１連結コア１４と平行に配置される直線状の第２連結コア１５とから構成されている。本形態の環状コア１１は、プレスの打ち抜き加工によって形成されており、第１コア１２と第２コア１３と第１連結コア１４と第２連結コア１５とは一体で形成されている。
【００２８】
第１コア１２と第２コア１３とは、同形状に形成されており、第１連結コア１４と第２連結コア１５とは、同形状に形成されている。また、環状コア１１は、図５に示すように、上下方向から見たときに、前後方向における環状コア１１の中心位置を通過する左右方向に平行な中心線ＣＬ１に対して線対称な形状に形成されるとともに、左右方向における環状コア１１の中心位置を通過する前後方向に平行な中心線ＣＬ２に対して線対称な形状に形成されている。
【００２９】
第１コア１２には、第２コア１３に向かって（すなわち、後ろ側に向かって）突出する凸部１２ａ、１２ｂ、１２ｃが形成されている。凸部１２ａ〜１２ｃは、長方形状に形成されている。凸部１２ａ〜１２ｃの後ろ側の端面（すなわち、先端面）は、左右方向と平行になっており、凸部１２ａ〜１２ｃの左右の端面は、前後方向と平行になっている。また、凸部１２ａ〜１２ｃの先端面は、前後方向に直交する同一の平面上に配置されている。
【００３０】
凸部１２ａは、右端側に配置され、凸部１２ｂは、左端側に配置され、凸部１２ｃは、凸部１２ａと凸部１２ｂとの間に配置されている。具体的には、凸部１２ｃは、左右方向における凸部１２ｃの中心と第１コア１２の中心とが一致するように配置され、凸部１２ａと凸部１２ｂとは、中心線ＣＬ２を対称軸とする線対称の位置に配置されている。本形態の凸部１２ａ、１２ｂは、第２励磁側凸部であり、凸部１２ｃは、第１励磁側凸部である。
【００３１】
左右方向において、凸部１２ａと第１連結コア１４との間には隙間が形成され、凸部１２ｂと第２連結コア１５との間には隙間が形成されている。また、左右方向において、凸部１２ａと凸部１２ｃとの間には隙間が形成され、凸部１２ｂと凸部１２ｃとの間には隙間が形成されている。第１コア１２は、中心線ＣＬ２に対して線対称な形状に形成されており、凸部１２ａと第１連結コア１４との隙間と、凸部１２ｂと第２連結コア１５との隙間とは同じ大きさとなっており、凸部１２ａと凸部１２ｃとの隙間と、凸部１２ｂと凸部１２ｃとの隙間とは同じ大きさになっている。
【００３２】
凸部１２ａと凸部１２ｃとの間、および、凸部１２ｂと凸部１２ｃとの間の第１コア１２の後ろ側の端面は、凸部１２ａと第１連結コア１４との間、および、凸部１２ｂと第２連結コア１５との間の第１コア１２の後ろ側の端面よりも前側に配置されている。
【００３３】
上述のように、第２コア１３は、第１コア１２と同形状に形成されており、中心軸ＣＬ１を対称軸とする線対称の位置に配置されている。そのため、第２コア１３には、第１コア１２に向かって（すなわち、前側に向かって）突出する凸部１３ａ、１３ｂ、１３ｃが形成されている。凸部１３ａ〜１３ｃは、凸部１２ａ〜１２ｃと同形状に形成されており、凸部１３ａ〜１３ｃの前側の端面（すなわち、先端面）は、前後方向に直交する同一の平面上に配置されている。
【００３４】
左右方向において、凸部１３ａは、凸部１２ａと同じ位置に配置され、凸部１３ｂは、凸部１２ｂと同じ位置に配置され、凸部１３ｃは、凸部１２ｃと同じ位置に配置されている。第１コア１２と同様に、第２コア１３は、中心線ＣＬ２に対して線対称な形状に形成されている。本形態の凸部１３ａ、１３ｂは、第２検出側凸部であり、凸部１３ｃは、検出側凸部である。
【００３５】
また、左右方向において、凸部１３ａと第１連結コア１４との間には、隙間が形成され、凸部１３ｂと第２連結コア１５との間には、凸部１３ａと第１連結コア１４との隙間と同じ大きさの隙間が形成されている。また、左右方向において、凸部１３ａと凸部１３ｃとの間には、隙間が形成され、凸部１３ｂと凸部１３ｃとの間には、凸部１３ａと凸部１３ｃとの隙間と同じ大きさの隙間が形成されている。第１コア１２と同様に、凸部１３ａと凸部１３ｃとの間、および、凸部１３ｂと凸部１３ｃとの間の第２コア１３の前側の端面は、凸部１３ａと第１連結コア１４との間、および、凸部１３ｂと第２連結コア１５との間の第２コア１３の前側の端面よりも後ろ側に配置されている。
【００３６】
前後方向における凸部１２ａ〜１２ｃと凸部１３ａ〜１３ｃとの間は、通過路５となっている。すなわち、第１コア１２は、通過路５を通過するメダル２の厚み方向の一方側に配置され、第２コア１３は、通過路５を通過するメダル２の厚み方向の他方側に配置されている。通過路５は、左右方向に細長い長方形状に形成されている。上述のように、ケース体３には、通過孔３ａにメダル２を案内するためのガイド部材が固定されている。このガイド部材は、凸部１２ａ、１３ａの右端面と凸部１２ｂ、１３ｂの左端面との間でメダル２が通過するように、メダル２を通過孔３ａに案内している。すなわち、凸部１２ａ、１３ａの右端面と凸部１２ｂ、１３ｂの左端面との左右方向の距離Ｌ１（図５参照）は、通過路５の左右方向の幅と等しくなっている。
【００３７】
また、距離Ｌ１（すなわち、通過路５の左右方向の幅）は、メダル２の外径よりも大きくなっている。すなわち、距離Ｌ１は、金属部２ｃの外径よりも大きくなっている。具体的には、通過路５の左右方向の幅は、スロットマシンのメダル投入口から投入されることが想定されるメダル２であって、最も大きな外径を有するメダル２の外径よりも大きくなっている。
【００３８】
左右方向における凸部１２ｃ、１３ｃの幅は、メダル２の外径よりも小さくなっている。すなわち、左右方向における凸部１２ｃ、１３ｃの幅は、金属部２ｃの外径よりも小さくなっている。また、凸部１２ｃ、１３ｃは、左右方向における通過路５のどの位置をメダル２が通過しても、前後方向から見たときに、凸部１２ｃ、１３ｃの全体がメダル２と重なるように（すなわち、金属部２ｃと重なるように）配置されている。すなわち、凸部１２ａ、１３ａの右端面または凸部１２ｂ、１３ｂの左端面と、メダル２の外周端とが一致するように、メダル２が通過路５を通過したとしても、前後方向から見たときに、凸部１２ｃ、１３ｃの全体がメダル２と重なるように、凸部１２ｃ、１３ｃが配置されている。
【００３９】
また、左右方向における凸部１２ａ、１３ａの右端面と凸部１２ｂ、１３ｂの右端面との距離Ｌ２、および、左右方向における凸部１２ａ、１３ａの左端面と凸部１２ｂ、１３ｂの左端面との距離Ｌ３は、メダル２の外径よりも小さくなっている。具体的には、距離Ｌ２、Ｌ３は、スロットマシンのメダル投入口から投入されることが想定されるメダル２であって、最も小さな外径を有するメダル２の外径よりも小さくなっている。
【００４０】
励磁用コイル８は、凸部１２ａ〜１２ｃに巻回されている。具体的には、図２に示すように、凸部１２ａ〜１２ｃの上下両面、凸部１２ａの右端面および凸部１２ｂの左端面を覆う略四角筒状のボビン２０を介して、励磁用コイル８が凸部１２ａ〜１２ｃに巻回されている。すなわち、凸部１２ａ〜１２ｃの上下両面、凸部１２ａの右端面および凸部１２ｂの左端面を覆うように、ボビン２０を介して、励磁用コイル８が凸部１２ａ〜１２ｃに巻回されている。
【００４１】
検出用コイル９は、凸部１３ａ〜１３ｃに巻回されている。具体的には、図２に示すように、凸部１３ａ〜１３ｃの上下両面、凸部１３ａの右端面および凸部１３ｂの左端面を覆う略四角筒状のボビン２１を介して、検出用コイル９が凸部１３ａ〜１３ｃに巻回されている。すなわち、凸部１３ａ〜１３ｃの上下両面、凸部１３ａの右端面および凸部１３ｂの左端面を覆うように、ボビン２１を介して、検出用コイル９が凸部１３ａ〜１３ｃに巻回されている。本形態の検出用コイル９は、第２検出用コイルである。
【００４２】
検出用コイル１０は、凸部１３ｃに巻回されている。具体的には、図３に示すように、凸部１３ｃの上下両面、右端面および左端面を覆う略四角筒状のボビン２２を介して、検出用コイル１０が凸部１３ｃに巻回されている。すなわち、凸部１３ｃの上下両面、右端面および左端面を覆うように、ボビン２２を介して、検出用コイル１０が凸部１３ｃに巻回されている。本形態では、左右方向における検出用コイル１０の幅は、メダル２の外径よりも小さくなっている。すなわち、左右方向における検出用コイル１０の幅は、金属部２ｃの外径よりも小さくなっている。なお、左右方向における検出用コイル１０の幅は、金属部２ｃの外径以上となっていても良い。
【００４３】
（メダル識別装置の回路構成）
図６は、図１に示すメダル識別装置１の回路ブロック図である。         
【００４４】
図６に示すように、励磁用コイル８を構成する導線の一端には、交流電源２５が接続され、励磁用コイル８を構成する導線の他端は接地されている。検出用コイル９を構成する導線の一端は、増幅回路２６、整流回路２７およびレベル調整回路２８を介して、制御部としてのＭＰＵ（Ｍｉｃｒｏ  Ｐｒｏｃｅｓｓｉｎｇ  Ｕｎｉｔ）２９に接続され、検出用コイル９を構成する導線の他端は接地されている。検出用コイル１０を構成する導線の一端は、増幅回路３１、整流回路３２およびレベル調整回路３３を介してＭＰＵ２９に接続され、検出用コイル１０を構成する導線の他端は接地されている。
【００４５】
磁気センサ４では、交流電源２５から供給される電力によって励磁用コイル８が環状コア１１の内周側に交流磁界を発生させている状態でメダル２が通過路５を通過すると、渦電流損失によって、環状コア１１の内周側の交流磁界が変動する。環状コア１１の内周側の交流磁界が変動すると、検出用コイル９からの出力および検出用コイル１０からの出力が変動する。
【００４６】
上述のように、検出用コイル９を構成する導線の一端は、増幅回路２６、整流回路２７およびレベル調整回路２８を介して、ＭＰＵ２９に接続されており、検出用コイル９からの出力に基づいて生成されるアナログ状のコイル出力信号ＳＧ１がレベル調整回路２８からＭＰＵ２９へ入力される。同様に、検出用コイル１０を構成する導線の一端は、増幅回路３１、整流回路３２およびレベル調整回路３３を介してＭＰＵ２９に接続されており、検出用コイル１０からの出力に基づいて生成されるアナログ状のコイル出力信号ＳＧ２がレベル調整回路３３からＭＰＵ２９へ入力される。なお、本形態では、コイル出力信号ＳＧ１および後述のコイル出力信号ＳＧ１１、ＳＧ１２は、第２コイル出力信号である。
【００４７】
励磁用コイル８が交流磁界を発生させている状態でメダル２が通過路５を通過すると、メダル２に発生する渦電流によってメダル２を通過する磁束が減少するため、メダル２を通過する磁束の減少量をコイル出力信号ＳＧ１、ＳＧ２の信号レベルの変動（具体的には、検出用コイル９、１０の両端の電圧の変動）として捉えることができる。本形態では、励磁用コイル８が交流磁界を発生させている状態でメダル２が通過路５を通過すると、コイル出力信号ＳＧ１、ＳＧ２の信号レベルが高くなるように、メダル識別装置１の回路が構成されている。
【００４８】
上述のように、凸部１２ａ、１３ａの右端面と凸部１２ｂ、１３ｂの左端面との左右方向の距離Ｌ１は、通過路５の左右方向の幅と等しくなっており、検出用コイル９は、凸部１３ａ〜１３ｃの上下両面、凸部１３ａの右端面および凸部１３ｂの左端面を覆うように、ボビン２１を介して凸部１３ａ〜１３ｃに巻回されている。そのため、検出用コイル９からの出力に基づくコイル出力信号ＳＧ１の信号レベルは、通過路５を通過するメダル２の材質、厚みおよび外径の影響によって変動する。
【００４９】
一方、凸部１２ｃ、１３ｃは、凸部１２ａ、１３ａと凸部１２ｂ、１３ｂとの間に配置されるとともに、左右方向における通過路５のどの位置をメダル２が通過しても、前後方向から見たときに、凸部１２ｃ、１３ｃの全体がメダル２と重なるように配置されており、検出用コイル１０は、凸部１３ｃに巻回されている。そのため、検出用コイル１０からの出力に基づくコイル出力信号ＳＧ２の信号レベルは、主として、通過路５を通過するメダル２の材質および厚みの影響によって変動する。
【００５０】
ここで、コイル出力信号ＳＧ１の信号レベルは、メダル識別装置１の周囲温度の変動等の影響によって変動することがある。本形態では、メダル識別装置１の周囲温度の変動等が生じても、コイル出力信号ＳＧ１、ＳＧ２の信号レベルがＭＰＵ２９での測定可能範囲から外れてしまうのを防止するため、コイル出力信号ＳＧ１、ＳＧ２の信号レベルが定期的に調整されている。具体的には、コイル出力信号ＳＧ１の信号レベルに基づいてＭＰＵ２９から出力されレベル調整回路２８に入力されるレベル調整信号に基づいて、レベル調整回路２８がコイル出力信号ＳＧ１の待機レベルを定期的に調整し、コイル出力信号ＳＧ２の信号レベルに基づいてＭＰＵ２９から出力されレベル調整回路３３に入力されるレベル調整信号に基づいて、レベル調整回路３３がコイル出力信号ＳＧ２の待機レベルを定期的に調整している。
【００５１】
メダル２の種類によって、その材質、厚みおよび／または外径が変わる。そのため、通過路５を通過するメダル２の種類に応じて、メダル２が通過路５を通過する際の渦電流損失が変わり、その結果、コイル出力信号ＳＧ１のピーク値、および、コイル出力信号ＳＧ２のピーク値が変わる。したがって、ＭＰＵ２９は、コイル出力信号ＳＧ１のピーク値とコイル出力信号ＳＧ２のピーク値とに基づいて、通過路５を通過するメダル２の材質が、メダル識別装置１が搭載されるスロットマシンで使用される真のメダル２の材質と同一であり、かつ、このメダル２の外径および厚みが真のメダル２の外径および厚みと略同一であるのか否かを識別する。
【００５２】
また、上述のように、本形態では、スロットマシンで使用される真のメダル２の中心に貫通孔２ａが形成されているため（すなわち、金属部２ｃに貫通孔２ａが形成されているため）、ＭＰＵ２９は、コイル出力信号ＳＧ１、ＳＧ２に基づいて、通過路５を通過するメダル２の金属部２ｃに貫通孔２ａが形成されているのか否かを識別する。また、ＭＰＵ２９は、通過路５を通過するメダル２の材質が真のメダル２の材質と同一であり、かつ、このメダル２の外径および厚みが真のメダル２の外径および厚みと略同一であるとともに、このメダル２の金属部２ｃに貫通孔２ａが形成されていると識別すると、通過路５を通過するメダル２が良品かつ真のメダル２であると判断する。以下、通過路５を通過するメダル２の金属部２ｃに貫通孔２ａが形成されているのか否かを識別する方法を具体的に説明する。
【００５３】
（金属部に貫通孔が形成されているのか否かの識別方法）
図７は、図１に示すメダル識別装置１の通過路５を貫通孔２ａが形成されていないメダル２が通過したときにメダル２に発生する渦電流の状態を説明するための模式図である。図８は、図１に示すメダル識別装置１の通過路５を貫通孔２ａが形成されたメダル２が通過したときにメダル２に発生する渦電流の状態を説明するための模式図である。図９は、図１に示すメダル識別装置１の通過路５を、真のメダル２の材質と同一でありかつ真のメダル２の外径および厚みと略同一のメダル２であって貫通孔２ａが形成されていないメダル２が通過したときのコイル出力信号ＳＧ１１、ＳＧ２１の波形の一例を示す図である。図１０は、図１に示すメダル識別装置１の通過路５を、中心に貫通孔２ａが形成された真のメダル２が通過したときのコイル出力信号ＳＧ１２、ＳＧ２２の波形の一例を示す図である。図１１は、図９に示すコイル出力信号ＳＧ１１、ＳＧ２１と図１０に示すコイル出力信号ＳＧ１２、ＳＧ２２とを重ねた状態を示す図である。図１２は、図１に示すメダル識別装置１の通過路５を真のメダル２が通過したときのコイル出力信号ＳＧ１２、ＳＧ２２のばらつきを説明するための図である。
【００５４】
図７、図８に示すように、励磁用コイル８が交流磁界Ｆを発生させている状態でメダル２が通過路５を通過すると、メダル２に渦電流ＥＣが生じる。具体的には、交流磁界Ｆが発生している通過路５をメダル２が通過すると（すなわち、環状コア１１を通過すると）、上下方向における環状コア１１の配置位置を中心とする渦電流ＥＣがメダル２に発生する。渦電流ＥＣでは、その中心に向かうにしたがって電流量が多くなっている。なお、以下の説明では、真のメダル２の材質と同一でありかつ真のメダル２の外径および厚みと略同一のメダル２が通過路５を通過するものとする。
【００５５】
交流磁界Ｆが発生している通過路５を、金属部２ｃに貫通孔２ａが形成されていないメダル２が通過する場合、図７に示すように、メダル２が通過路５を通過するにしたがって、渦電流ＥＣの中心が順次ずれていく。すなわち、メダル２が通過路５を通過し始めると、図７（Ａ）に示すように、上下方向におけるメダル２の一端側（図７の下端側）に渦電流ＥＣが生じ、その後、上下方向におけるメダル２の中心が環状コア１１に近い位置を通過している間は、図７（Ｂ）に示すように、メダル２の全体に渦電流ＥＣが生じる。また、その後、さらにメダル２が通過路５を移動すると、図７（Ｃ）に示すように、上下方向におけるメダル２の他端側（図７の上端側）に渦電流ＥＣが生じる。
【００５６】
このときに、検出用コイル９からの出力に基づいて生成されるコイル出力信号ＳＧ１１および検出用コイル１０からの出力に基づいて生成されるコイル出力信号ＳＧ２１の信号レベルは、たとえば、図９に示すように変動する。すなわち、通過路５をメダル２が通過し始めると、コイル出力信号ＳＧ１１、ＳＧ２１の信号レベルが緩やかに上昇し、その後、上下方向における環状コア１１の中心とメダル２の中心とが一致すると、コイル出力信号ＳＧ１１、ＳＧ２１の信号レベルがピーク値Ｐ１、Ｐ２となり、その後、コイル出力信号ＳＧ１１、ＳＧ２１の信号レベルが緩やかに下降する。なお、コイル出力信号ＳＧ１１がピーク値Ｐ１になるタイミングと、コイル出力信号ＳＧ２１がピーク値Ｐ２になるタイミングとはほぼ一致している。また、図９では、メダル２が一定速度で通過路５を通過したときのコイル出力信号ＳＧ１１、ＳＧ２１の信号レベルの波形が図示されている。
【００５７】
一方、本願発明者の検討によると、交流磁界Ｆが発生している通過路５を、金属部２ｃに貫通孔２ａが形成されている真のメダル２が通過する場合、図８（Ａ）に示すように、ダル２が通過路５を通過し始めた後の比較的早い段階から貫通孔２ａの周囲を回る渦電流ＥＣが生じる。また、この場合には、金属部２ｃに貫通孔２ａが形成されていないメダル２が通過路５を通過する場合と比較して、図８（Ｂ）に示すように、早い段階からメダル２の全体に渦電流ＥＣが生じるとともに、図８（Ｃ）に示すように、上下方向におけるメダル２の中心が環状コア１１の中心を通過した後も、遅い段階までメダル２の全体に渦電流ＥＣが生じている。また、その後、さらにメダル２が通過路５を移動すると、比較的遅い段階まで貫通孔２ａの周囲を回る渦電流ＥＣが生じている。
【００５８】
このときに、検出用コイル９からの出力に基づいて生成されるコイル出力信号ＳＧ１２および検出用コイル１０からの出力に基づいて生成されるコイル出力信号ＳＧ２２の信号レベルは、たとえば、図１０に示すように変動する。また、図９に示すコイル出力信号ＳＧ１１、ＳＧ２１と、図１０に示すコイル出力信号ＳＧ１２、ＳＧ２２とを重ねると、図１１のようになる。なお、図１０に示すコイル出力信号ＳＧ１２、ＳＧ２２が生成されるようにメダル２が通過路５を通過する速度は、図９に示すコイル出力信号ＳＧ１１、ＳＧ２１が生成されるようにメダル２が通過路５を通過するときの速度と同じ速度となっている。
【００５９】
図１１から明らかなように、コイル出力信号ＳＧ１１の波形とコイル出力信号ＳＧ１２の波形とはほぼ一致している。すなわち、コイル出力信号ＳＧ１１のピーク値Ｐ１とコイル出力信号ＳＧ１２のピーク値Ｐ３とはほぼ一致している。一方、コイル出力信号ＳＧ２１のピーク値Ｐ２とコイル出力信号ＳＧ２２のピーク値Ｐ４とはほぼ一致しているが、左右方向における凸部１２ｃ、１３ｃの幅がメダル２の外径よりも小さくなっているため（すなわち、金属部２ｃの外径よりも小さくなっているため）、コイル出力信号ＳＧ２１の波形とコイル出力信号ＳＧ２２の波形とが異なる。具体的には、コイル出力信号ＳＧ２２の信号レベルは、コイル出力信号ＳＧ２１と比較して、通過路５をメダル２が通過し始めた後、早い段階から上昇し始める。また、コイル出力信号ＳＧ２２の信号レベルは、コイル出力信号ＳＧ２１と比較して、比較的長い間、ピーク値Ｐ４に近い値を維持する。すなわち、コイル出力信号ＳＧ２２の信号レベルは、コイル出力信号ＳＧ２１と比較して、遅い段階から下降し始める。なお、上下方向における環状コア１１の中心とメダル２の中心とが一致すると、コイル出力信号ＳＧ１２、ＳＧ２２の信号レベルがピーク値Ｐ３、Ｐ４となる。すなわち、コイル出力信号ＳＧ１２がピーク値Ｐ３になるタイミングと、コイル出力信号ＳＧ２２がピーク値Ｐ４になるタイミングとはほぼ一致している。
【００６０】
上述のように、コイル出力信号ＳＧ２１のピーク値Ｐ２とコイル出力信号ＳＧ２２のピーク値Ｐ４とはほぼ一致しているが、コイル出力信号ＳＧ２１の波形とコイル出力信号ＳＧ２２の波形とが異なる。そのため、本形態では、ＭＰＵ２９は、コイル出力信号ＳＧ２１、ＳＧ２２のピーク値Ｐ２、Ｐ４を除いた所定の箇所の信号レベルに基づいて、金属部２ｃに貫通孔２ａが形成されているのか否かを識別する。具体的には、ＭＰＵ２９は、コイル出力信号ＳＧ１１、ＳＧ１２の信号レベルがピーク値Ｐ１、Ｐ３を除く所定の値となったときの、コイル出力信号ＳＧ２１、ＳＧ２２の信号レベルに基づいて、金属部２ｃに貫通孔２ａが形成されているのか否かを識別する。また、ＭＰＵ２９は、コイル出力信号ＳＧ２１、ＳＧ２２の複数箇所の信号レベルに基づいて、金属部２ｃに貫通孔２ａが形成されているのか否かを識別する。
【００６１】
たとえば、図１１に示すように、コイル出力信号ＳＧ１１、ＳＧ１２の信号レベルがＶ１であるときのコイル出力信号ＳＧ２１、ＳＧ２２の信号レベル、および、コイル出力信号ＳＧ１１、ＳＧ１２の信号レベルがＶ２であるときのコイル出力信号ＳＧ２１、ＳＧ２２の信号レベルに基づいて、ＭＰＵ２９は、金属部２ｃに貫通孔２ａが形成されているのか否かを識別する。具体的には、ＭＰＵ２９は、コイル出力信号ＳＧ１１、ＳＧ１２の信号レベルがＶ１であるときのコイル出力信号ＳＧ２１、ＳＧ２２の信号レベルが所定の閾値ｔｈ１よりも大きいかそれとも閾値ｔｈ１以下であるのかを判断することで、金属部２ｃに貫通孔２ａが形成されているのか否かを識別する。また、ＭＰＵ２９は、コイル出力信号ＳＧ１１、ＳＧ１２の信号レベルがＶ２であるときのコイル出力信号ＳＧ２１、ＳＧ２２の信号レベルが所定の閾値ｔｈ２よりも大きいかそれとも閾値ｔｈ２以下であるのかを判断することで、金属部２ｃに貫通孔２ａが形成されているのか否かを識別する。
【００６２】
なお、たとえば、真のメダル２（貫通孔２ａが形成されたメダル２）が同じ速度で通過路５を通過する場合であっても、メダル２の金属部２ｃの製造上のばらつきや摩耗等の影響で、図１２に示すように、コイル出力信号ＳＧ１２、ＳＧ２２のピーク値Ｐ３、Ｐ４がばらつく場合がある。そのため、本形態では、ＭＰＵ２９は、コイル出力信号ＳＧ１１、ＳＧ１２のピーク値Ｐ１、Ｐ３が一定の基準ピーク値になるように、また、コイル出力信号ＳＧ２１、ＳＧ２２のピーク値Ｐ２、Ｐ４が一定の基準ピーク値になるように、コイル出力信号ＳＧ１１、ＳＧ１２、ＳＧ２１、ＳＧ２２の信号レベルを補正している。
【００６３】
（本形態の主な効果）
以上説明したように、本形態では、コイル出力信号ＳＧ２１の信号レベルのピーク値Ｐ２とコイル出力信号ＳＧ２２の信号レベルのピーク値Ｐ４とはほぼ一致しているが、コイル出力信号ＳＧ２１の波形とコイル出力信号ＳＧ２２の波形とが異なっており、ＭＰＵ２９は、コイル出力信号ＳＧ２１、ＳＧ２２のピーク値Ｐ２、Ｐ４を除いた所定の箇所の信号レベルに基づいて、金属部２ｃに貫通孔２ａが形成されているのか否かを識別している。したがって、本形態では、メダル２の外径および厚みが同じであっても（すなわち、金属部２ｃの外径および厚みが同じであっても）、金属部２ｃの材質が同じであれば、金属部２ｃに貫通孔２ａが形成されているのか否かを適切に識別することが可能になる。すなわち、本形態では、メダル２の外径および厚みが同じであっても、メダル２の金属部２ｃに貫通孔２ａが形成されているのか否かを適切に識別することが可能になる。
【００６４】
本形態では、コイル出力信号ＳＧ１１の波形とコイル出力信号ＳＧ１２の波形とがほぼ一致しており、ＭＰＵ２９は、コイル出力信号ＳＧ１１、ＳＧ１２の信号レベルがピーク値Ｐ１、Ｐ３を除く所定の値となったときの、コイル出力信号ＳＧ２１、ＳＧ２２の信号レベルに基づいて、金属部２ｃに貫通孔２ａが形成されているのか否かを識別している。そのため、本形態では、通過路５を通過するメダル２の通過速度が変動する場合等であっても、コイル出力信号ＳＧ２１、ＳＧ２２の一定箇所の信号レベルに基づいて、金属部２ｃに貫通孔２ａが形成されているのか否かを識別することが可能になる。その結果、本形態では、通過路５を通過するメダル２の通過速度が変動する場合等であっても、金属部２ｃに貫通孔２ａが形成されているのか否かを適切に識別することが可能になる。
【００６５】
すなわち、たとえば、図１３に示すように、コイル出力信号ＳＧ２２のピーク値Ｐ４が検出された時点のＴ秒前のコイル出力信号ＳＧ２２の信号レベルに基づいて、金属部２ｃに貫通孔２ａが形成されているのか否かをＭＰＵ２９が識別する場合、真のメダル２が通過路５を通過しても、図１３（Ａ）、（Ｂ）に示すように、通過路５を通過するメダル２の通過速度によって、ピーク値Ｐ４が検出された時点のＴ秒前のコイル出力信号ＳＧ２２の信号レベルが相違する。そのため、この場合には、通過路５を通過するメダル２の通過速度が変動すると、ＭＰＵ２９は、金属部２ｃに貫通孔２ａが形成されているのか否かを適切に識別することはできない。これに対して、本形態では、たとえば、図１３に示すように、コイル出力信号ＳＧ１２の信号レベルがＶ１であるときのコイル出力信号ＳＧ２２の信号レベルに基づいて、金属部２ｃに貫通孔２ａが形成されているのか否かをＭＰＵ２９が識別しているため、通過路５を通過するメダル２の通過速度が変動する場合であっても、金属部２ｃに貫通孔２ａが形成されているのか否かを適切に識別することが可能になる。
【００６６】
本形態では、ＭＰＵ２９は、コイル出力信号ＳＧ２１、ＳＧ２２の複数箇所の信号レベルに基づいて、金属部２ｃに貫通孔２ａが形成されているのか否かを識別している。そのため、本形態では、金属部２ｃに貫通孔２ａが形成されているのか否かの識別精度を高めることが可能になる。
【００６７】
本形態では、ＭＰＵ２９は、コイル出力信号ＳＧ１１、ＳＧ１２のピーク値Ｐ１、Ｐ３が一定の基準ピーク値になるように、また、コイル出力信号ＳＧ２１、ＳＧ２２のピーク値Ｐ２、Ｐ４が一定の基準ピーク値になるように、コイル出力信号ＳＧ１１、ＳＧ１２、ＳＧ２１、ＳＧ２２の信号レベルを補正している。そのため、本形態では、金属部２ｃの製造上のばらつきや金属部２ｃの摩耗等の影響でコイル出力信号ＳＧ１１、ＳＧ１２、ＳＧ２１、ＳＧ２２のピーク値Ｐ１〜Ｐ４が変動しても、金属部２ｃに貫通孔２ａが形成されているのか否かを適切に識別することが可能になる。
【００６８】
本形態では、凸部１２ｃ、１３ｃは、左右方向における通過路５のどの位置をメダル２が通過しても、前後方向から見たときに、凸部１２ｃ、１３ｃの全体が金属部２ｃと重なるように配置されている。そのため、本形態では、コイル出力信号ＳＧ２１の波形とコイル出力信号ＳＧ２２の波形との差異を大きくすることが可能になる。したがって、本形態では、金属部２ｃに貫通孔２ａが形成されているのか否かをより適切に識別することが可能になる。
【００６９】
本形態では、磁気センサ４は、環状に形成される環状コア１１を備えている。そのため、本形態では、励磁用コイル８が発生させる磁束の、環状コア１１からの漏れを低減することが可能になる。したがって、環状コア１１に効率の良い磁気回路を形成することが可能になる。また、本形態では、環状コア１１を磁気シールドとして機能させることが可能になり、外部磁界に起因するメダル識別装置１の識別精度の低下を抑制することが可能になる。
【００７０】
本形態では、凸部１２ａ、１３ａの右端面と凸部１２ｂ、１３ｂの左端面との左右方向の距離Ｌ１は、金属部２ｃの外径よりも大きくなっている。そのため、本形態では、第１コア１２と第２コア１３との間に形成される磁路から金属部２ｃの一部が外れないように、通過路５でメダル２を通過させることが可能になる。したがって、本形態では、コイル出力信号ＳＧ１１の波形とコイル出力信号ＳＧ１２の波形とをより一致させることが可能になる。
【００７１】
（他の実施の形態）
上述した形態は、本発明の好適な形態の一例ではあるが、これに限定されるものではなく本発明の要旨を変更しない範囲において種々変形実施が可能である。
【００７２】
上述した形態では、交流磁界Ｆが発生している通過路５をメダル２が通過したときに、コイル出力信号ＳＧ１１、ＳＧ１２、ＳＧ２１、ＳＧ２２の信号レベルが高くなるように、メダル識別装置１の回路が構成されている。この他にもたとえば、交流磁界Ｆが発生している通過路５をメダル２が通過したときに、コイル出力信号ＳＧ１１、ＳＧ１２、ＳＧ２１、ＳＧ２２の信号レベルが低くなるように、メダル識別装置１の回路が構成されても良い。この場合には、コイル出力信号ＳＧ２１のボトム値とコイル出力信号ＳＧ２２のボトム値とはほぼ一致しているが、コイル出力信号ＳＧ２１の波形とコイル出力信号ＳＧ２２の波形とが異なる。したがって、ＭＰＵ２９は、コイル出力信号ＳＧ２１、ＳＧ２２のボトム値を除いた所定の箇所の信号レベルに基づいて、金属部２ｃに貫通孔２ａが形成されているのか否かを識別すれば良い。具体的には、ＭＰＵ２９は、コイル出力信号ＳＧ１１、ＳＧ１２の信号レベルがそのボトム値を除く所定の値となったときの、コイル出力信号ＳＧ２１、ＳＧ２２の信号レベルに基づいて、金属部２ｃに貫通孔２ａが形成されているのか否かを識別すれば良い。また、この場合には、ＭＰＵ２９は、コイル出力信号ＳＧ１１、ＳＧ１２のボトム値が一定の基準ボトム値になるように、また、コイル出力信号ＳＧ２１、ＳＧ２２のボトム値が一定の基準ボトム値になるように、コイル出力信号ＳＧ１１、ＳＧ１２、ＳＧ２１、ＳＧ２２の信号レベルを補正することが好ましい。
【００７３】
上述した形態では、ＭＰＵ２９は、コイル出力信号ＳＧ１１、ＳＧ１２の信号レベルがピーク値Ｐ１、Ｐ３を除く所定の値となったときの、コイル出力信号ＳＧ２１、ＳＧ２２の信号レベルに基づいて、金属部２ｃに貫通孔２ａが形成されているのか否かを識別している。この他にもたとえば、通過路５を通過するメダル２の通過速度が一定である場合には、コイル出力信号ＳＧ２１、ＳＧ２２のピーク値Ｐ２、Ｐ４が検出された時点の所定時間前のコイル出力信号ＳＧ２１、ＳＧ２２の信号レベルに基づいて、あるいは、ピーク値Ｐ２、Ｐ４が検出された時点の所定時間後のコイル出力信号ＳＧ２１、ＳＧ２２の信号レベルに基づいて、金属部２ｃに貫通孔２ａが形成されているのか否かをＭＰＵ２９が識別しても良い。また、たとえば、ケース体３の中にメダル２が入ったことを検出するための検出手段を設けるとともに、ケース体３の中にメダル２が入ったことが検出された時点の所定時間後のコイル出力信号ＳＧ２１、ＳＧ２２の信号レベルに基づいて、金属部２ｃに貫通孔２ａが形成されているのか否かをＭＰＵ２９が識別しても良い。
【００７４】
また、通過路５を通過するメダル２の通過速度が一定である場合であって、かつ、メダル識別装置１が、外径および厚みが略同じでかつ材質が同じ金属部２ｃを有するメダル２の金属部２ｃに貫通孔２ａが形成されているのか否かのみを識別するための装置である場合には、メダル識別装置１は、検出用コイル９を備えていなくても良い。この場合には、環状コア１１に凸部１３ａ、１３ｂが形成されていなくても良い。また、環状コア１１に凸部１３ａ、１３ｂが形成されていない場合には、第２コア１３の、凸部１３ｃ以外の箇所に検出用コイル１０が巻回されても良い。
【００７５】
上述した形態では、ＭＰＵ２９は、コイル出力信号ＳＧ２１、ＳＧ２２の複数箇所の信号レベルに基づいて、金属部２ｃに貫通孔２ａが形成されているのか否かを識別している。この他にもたとえば、ＭＰＵ２９は、コイル出力信号ＳＧ２１、ＳＧ２２の１箇所の信号レベルに基づいて、金属部２ｃに貫通孔２ａが形成されているのか否かを識別しても良い。
【００７６】
上述した形態では、凸部１２ｃ、１３ｃは、左右方向における通過路５のどの位置をメダル２が通過しても、前後方向から見たときに、凸部１２ｃ、１３ｃの全体がメダル２と重なるように配置されている。この他にもたとえば、前後方向から見たときに、メダル２の通過位置によって、凸部１２ｃ、１３ｃの全体がメダル２と重ならない場合があっても良い。また、上述した形態では、凸部１３ｃは、１個の凸部によって構成されているが、凸部１３ｃは、左右方向に離れた状態で配置される２個以上の凸部によって構成されても良い。
【００７７】
上述した形態では、磁気センサ４は、環状に形成される環状コア１１を備えている。この他にもたとえば、磁気センサ４は、環状コア１１に代えて、第１コア１２、第２コア１３、第１連結コア１４および第２連結コア１５の少なくともいずれか１箇所にギャップ（切れ目）が形成されたコア体を備えていても良い。この場合には、ギャップは非磁性材料で埋められても良い。また、上述した形態では、環状コア１１は、略四角環状に形成されているが、環状コア１１は、円環状、楕円環状または長円環状に形成されても良い。また、環状コア１１は、四角環状以外の多角環状に形成されても良い。
【００７８】
上述した形態では、メダル２は、樹脂部２ｂと金属部２ｃとから構成されている。この他にもたとえば、メダル２は、樹脂部２ｂと金属部２ｃと金属部２ｃの外周側を囲む第２の樹脂部とから構成されても良い。この場合には、左右方向における凸部１２ｃ、１３ｃの幅は、金属部２ｃの外径よりも小さくなっている。
【００７９】
上述した形態では、メダル識別装置１は、スロットマシンに搭載されて使用されている。この他にもたとえば、メダル識別装置１は、メダル購入機やメダル計数機に搭載されて使用されても良い。また、上述した形態では、スロットマシンで使用されるメダル２を識別するためのメダル識別装置１を例に、本発明のコイン状被検出体識別装置の実施例を説明しているが、本発明が適用されるコイン状被検出体識別装置は、たとえば、ゲーム機で使用されるメダル等の他のコイン状の被検出体を識別するための装置であっても良い。また、本発明におけるコイン状の被検出体は、スロットマシンやゲーム機等で使用されるメダルに限定されず、硬貨であっても良い。なお、メダル購入機は、現金を入れてメダルを購入するための装置であり、スロットマシン間やホール入口に設置されている。また、メダル計数機は、各スロットマシンから集まるメダルの数を数えるための装置である。このメダル計数機は、たとえば、所定台数のスロットマシンに対して１台設置されており（たとえば、島ごとに設置されており）、メダル計数機が設置された島を構成する複数のスロットマシンから集まったメダル２の数を数える。また、メダル計数機は、たとえば、島ごとに集まったメダル２をさらに集めて、その数を数える一括集中処理機である。また、メダル計数機は、たとえば、メダル２を景品に換えるためにメダル２の数を数える装置である。
【符号の説明】
【００８０】
１  メダル識別装置（コイン状被検出体識別装置）
２  メダル（被検出体）
２ａ  貫通孔
２ｃ  金属部
５  通過路
８  励磁用コイル
９  検出用コイル（第２検出用コイル）
１０  検出用コイル
１１  環状コア
１２  第１コア
１２ａ、１２ｂ  凸部（第２励磁側凸部）
１２ｃ  凸部（第１励磁側凸部）
１３  第２コア
１３ａ、１３ｂ  凸部（第２検出側凸部）
１３ｃ  凸部（検出側凸部）
１４  第１連結コア
１５  第２連結コア
２９  ＭＰＵ（制御部）
Ｐ２、Ｐ４  ピーク値
ＳＧ１、ＳＧ１１、ＳＧ１２  コイル出力信号（第２コイル出力信号）
ＳＧ２、ＳＧ２１、ＳＧ２２  コイル出力信号
Ｘ  直交方向
Ｘ１  第１方向
Ｘ２  第２方向
Ｙ  被検出体の厚み方向
Ｚ  被検出体の通過方向
【図１】
2015217198.tif 000003
【図２】
2015217198.tif 000004
【図３】
2015217198.tif 000005
【図４】
2015217198.tif 000006
【図５】
2015217198.tif 000007
【図６】
2015217198.tif 000008
【図７】
2015217198.tif 000009
【図８】
2015217198.tif 000010
【図９】
2015217198.tif 000011
【図１０】
2015217198.tif 000012
【図１１】
2015217198.tif 000013
【図１２】
2015217198.tif 000014
【図１３】
2015217198.tif 000015